(57)【特許請求の範囲】
【請求項１】
係合凹部を有する本体内に、施錠部材に連絡するスライダーと、つまみにより操作され先端押圧面と側方押圧面を有する作用部を設けた操作部材を並列して摺動可能に収納し、対向状態に押圧縁と係合縁を設けたストッパーを上記スライダーに回転可能に枢着し、操作部材を移動する際該操作部材の先端押圧面を上記ストッパーの押圧縁に当接するとともに上記係合縁を本体の内面に摺接させてスライダーを移動し、上記係合凹部に対応する位置までスライダーが移動したとき、上記ストッパーの係合縁が該係合凹部に係合するよう該ストッパーを回転し、上記操作部材を側方押圧面が上記押圧縁に接する位置まで移動させてストッパーの回転を阻止し、上記スライダーの移動をロックすることを特徴とするスライド式施錠装置。
【請求項２】
上記操作部材とスライダーには、操作部材を復帰させるとき係合する鉤部が設けられている請求項１に記載のスライド式施錠装置。
【請求項３】
上記ストッパーは、正面視三角形形状であり、三角形の頂点内方でスライダーに枢着され、対辺の一辺が押圧縁となり、他辺が係合縁となっている請求項１に記載のスライド式施錠装置。
【請求項４】
上記係合凹部は本体の二か所に設けられ、各係合凹部にそれぞれ対応するようスライダーの二か所に上記ストッパーを設けるとともに操作部材の二か所に上記作用部を設け、施錠位置及び解錠位置でロックできるようにした請求項１に記載のスライド式施錠装置。
【請求項５】
上記施錠部材としてロッド棒をスライダーに連結した請求項１に記載のスライド式施錠装。
【請求項６】
上記施錠部材としてロックピンをスライダーに設けた請求項１に記載のスライド式施錠装置。
【請求項７】
上記施錠部材として伝動板をスライダーに設けた請求項１に記載のスライド式施錠装置。
【請求項８】
上記施錠部材としてスライダーがラッチ部材を兼用している請求項１に記載の上記スライド式施錠装置。
【請求項９】
上記請求項１〜８のいづれかに記載のスライド式施錠装置を備えた扉または障子。
【発明の詳細な説明】
【技術分野】
【０００１】
本発明は、例えばフランス落しのように、ロッド棒等の操作部材をスライドさせて施錠部材を施錠位置若しくは解錠位置に移動し、障子、扉、パーティション等を固定したり、開放できるようにしたスライド式施錠装置に係るものである。
【背景技術】
【０００２】
一般的に市場で使用されているフランス落しを大別すると、本体に枢着した操作レバーを上下方向に１８０度回転させることによりスライダーを上下動してロッド棒を扉枠に設けた受孔に出没させるようにした回転式フランス落し(例えば特許文献１参照)や、スライダーにつまみを設け、つまみによりスライダーを直接上下動させてスライダーに連結したロッド棒を受孔に出没させるようにしたスライド式フランス落し(例えば特許文献２参照)が知られている。
【０００３】
操作レバーを回転させる形式のフランス落しの場合には、操作レバーは、回転後に反転して本体の前面板に沿って受溝内に収納される。そのため、施錠位置でロッド棒を外方から無理に解錠位置に移動させようとしてもレバーは回転しないので、施錠位置に確実にロックすることができる。しかし、ロッド棒の先端が受孔に十分に入っていなかったり、受孔にゴミが溜まっていると、ロッド棒を介して操作レバーが本体の前面板から飛び出した状態になって停止しているから、この状態で扉を閉めると、扉が閉まらなかったり、無理に扉を閉めると、レバーが変形したり、破損する事故を生じることがあった。
【０００４】
また、スライド式フランス落し場合には、つまみが本体の前面板から突出しないので、回転式フランス落しのような事故は発生しないが、スライダーがロックされていないので、扉と扉枠の隙間から適宜の工具を差し込んでロッド棒を解錠位置に移動させられるおそれがあり、防犯上問題がある。そのため、特許文献２に記載のように、スライドバーの長さ方向に間隔をあけて複数の係合穴を設けるとともに、先端に係合突起を有する板ばねを設け、ロッド棒が移動した位置でばね作用により係合突起を係合穴に係合させてスライドバーを保持するようにしているが、このような保持機構ではロッド棒の耐荷重が回転式フランス落しよりも大幅に小さくなるので容易に解錠されてしまうおそれがある。ばね圧を大きくすると、施解錠の際に、簡単に操作することができなくなるし、ばね圧を大きくしない場合でも、操作の際にロッド棒の重さに加えてばね圧が作用しているから、これらの力に抗してスライドさせなければならず、操作が重くなる。
【０００５】
扉、障子等の施解錠装置としては、フランス落しの他にも、スライド機構を用いた種々の装置が用いられている。例えば、ロックピンを移動させて施解錠する締り金具や係合ピンを設けた連動板を移動させて施解錠する装置、ラッチ部材を水平移動させて窓を施解錠する上げ下げ窓の錠装置その他種々の装置が知られている(例えば特許文献３〜５)。これらの装置も、基本的にはスライダーを移動させてロックピンやラッチ部材等の施錠部材を直接的に、若しくは他の部材を介して移動し、施錠や解錠する機構であるから、上記フランス落しと同様に、スライダーを軽快にかつ確実にロックすることができないという問題点を抱えている。
【先行技術文献】
【特許文献】
【０００６】
【特許文献１】特開平８−１４４６１０号公報（図２）
【特許文献２】特開２００６−１１８２８３号公報（図１、図３）
【特許文献３】特開２００２−１８８３３６号公報（図１、図２）
【特許文献４】特開２００６−２２５２３号公報（図１、図７）
【特許文献５】特開２０１２−１８９６号公報（図６、図７）
【発明の概要】
【発明が解決しようとする課題】
【０００７】
本発明は、上記のように、スライダーを移動させて施解錠するスライド式施錠装置において、施錠位置においてスライダーを確実にロックでき、かつ軽く操作できるスライド式施錠装置を提供することである。
【課題を解決するための手段】
【０００８】
本発明によれば、係合凹部を有する本体内に、施錠部材に連絡するスライダーと、つまみにより操作され先端押圧面と側方押圧面を有する作用部を設けた操作部材を並列して摺動可能に収納し、対向状態に押圧縁と係合縁を設けたストッパーを上記スライダーに回転可能に枢着し、操作部材を移動する際該操作部材の先端押圧面を上記ストッパーの押圧縁に当接するとともに上記係合縁を本体の内面に摺接させてスライダーを移動し、上記係合凹部に対応する位置までスライダーが移動したとき、上記ストッパーの係合縁が該係合凹部に係合するよう該ストッパーを回転し、上記操作部材を側方押圧面が上記押圧縁に接する位置まで移動させてストッパーの回転を阻止し、上記スライダーの移動をロックすることを特徴とするスライド式施錠装置が提供され、上記課題が解決される。
【０００９】
本発明によれば、上記操作部材とスライダーには、操作部材を復帰させるとき係合する鉤部が設けられており、施錠部材としてロッド棒をスライダーに連結したフランス落しや、施錠部材としてロックピンをスライダーに設けた締り金具や、スライダーがラッチ部材を兼用した上げ下げ窓の錠装置その他各種の上記スライド式施錠装置が提供される。
【発明の効果】
【００１０】
本発明は上記のように構成され、操作部材を移動させると、ストッパーの押圧縁に操作部材の先端押圧面が当ってスライダーが移動し、ストッパーの係合縁が本体の係合凹部に対応したとき、ストッパーが回転して係合縁が係合凹部に係合し、さらに上記操作部材が移動して側方押圧面をストッパーの押圧縁に当接させるようにしたので、スライダーに連結した施錠部材により施錠すると共にストッパーの回転を阻止した状態で、スライダーをロックすることができる。そのため、外方からスライダーを復帰させようとしても、ストッパーは係合凹部に係合した状態で回転しないので、スライダーを移動させることができず、スライダーを確実にロック状態を保持することができる。この際、上記ストッパーの回転にばねを用いていないから、スライダーを移動させることは容易であり、軽快に操作することができ、かつ全体として剛性があり、破壊されにくい。
【図面の簡単な説明】
【００１１】
【図１】扉の正面図。
【図２】扉の小口面の一部省略拡大図。
【図３】本発明の一実施例を示し、フランス落しの正面から見た斜視図。
【図４】裏面から見たフランス落しの斜視図。
【図５】分解斜視図。
【図６】解錠状態の背面図。
【図７】解錠状態の断面図。
【図８】本体の連結板を省略し、解錠状態の説明図。
【図９】操作部材を少し上昇させた状態の説明図。
【図１０】ロック状態の説明図。
【図１１】ロック状態の背面図。
【図１２】ロック状態の断面図。
【図１３】二つのストッパーを設けた実施例を示し、下方ストッパーが施錠位置にある状態の説明図。
【図１４】図１３に示す状態から操作部材を少し上昇させた状態の説明図。
【図１５】図１４に示す状態からさらに操作部材が上昇し、上方ストッパーが施錠位置に達した状態の説明図。
【図１６】スライダーに、ロックピンを設けた実施例の説明図。
【図１７】スライダーに、伝動板を設けた実施例の説明図。
【図１８】本体を水平方向に設け、スライダーをラッチ部材とした実施例の説明図。
【発明を実施するための形態】
【００１２】
本発明は、上述したようにフランス落し、引き寄せ装置、閉まり金具、上げ下げ窓の錠装置その他スライド機構を用いた各種の施錠装置に適用することができるが、以下主としてフランス落しについて説明する。例えば、図１に示すような移動側扉１と固定側扉２を有する両開き扉の場合、固定側扉２の小口面には、図２に示すように上部と下部に２つのフランス落し４が設けられ、公知のように、上下方向に移動可能に設けたロッド棒５の先端を、扉枠や床面に設けた受孔６に挿入する方向に移動すると施錠状態になり、受孔から後退する方向に移動すると、解錠状態になる。なお、扉がパーティションのような場合には扉の内側表面にフランス落しを設けることができる(図示略)。
【００１３】
図３〜図５を参照し、本発明のフランス落し(スライド式施錠装置)４の本体７は、取付孔８と、長手方向に延びつまみが表面から突出しない程度の深さと指でつまみをスライド操作できる幅と長さのつまみ孔９を設けた前面板１０を有し、その後方に対向状態に側板１１を設けることにより断面略コ字状の収納部１２を形成してある。両側板１１の後端の一部は、連結板１３で連結してあり、収納部内に設けた部材の脱落を防止している。一方の側板１１には係合凹部１４が形成されている。該係合凹部１４は、図に示す実施例では側板１１の一部を切り欠いて外方に開口する係合凹部としているが、側板の内面の一部を凹陥させて係合凹部としてもよい。上記収納部１２内には、スライダー１５と操作部材１６が、図３において上下方向に摺動可能に並列して収納されている。図５に示すように、スライダー１５と操作部材１６は、前面板１０の裏面に摺接し、かつそれぞれ側板の内面(摺動面)１７に摺接する摺動面１８、１９と、スライダー１５と操作部材１６どうしが摺接する摺動面２０、２１を有している。
【００１４】
上記スライダー１５は、図１に示すようなロッド棒５をねじ着するねじ部２２を先端に形成し上記収納部１２に摺動可能にほぼ内接する形状の頭部２３を有し、その下方は収納部の約半分の幅の中間部２４となっている。スライダー１５を移動した際、上記本体７の係合凹部１４に隣接する側の中間部には、ストッパー２５を装着するよう段部２６が形成され、操作部材１６側の側面には鉤部２７が設けられている。
【００１５】
上記ストッパー２５は、約９０度で交差するよう押圧縁２８と係合縁２９を対向状態に有し、上記段部２６内で回転できるよう上記スライダー１５にピン３０で枢着されている。この押圧縁２８と係合縁２９は、押圧縁２８の先端がスライダーの側面から操作部材方向に突出しているとき、係合縁２９の先端がスライダーの側面に沿う位置にあり、係合縁２９の先端がスライダーの側面から側板１１に突出しているとき押圧縁２８の先端がスライダーの側面に沿って位置するよう形成されている。換言すると、このストッパー２５の押圧縁２８は、上記係合縁２９の先端が本体の側板１１の内面(摺動面)１７に摺接しているときに、上記操作部材１６側に先端が突出する長さであり、上記係合縁２９の先端が側板１１に設けた係合凹部１４に入り込んだとき、回転して段部２６の側面に沿って位置するような長さである。また、係合縁２９の長さは、上記押圧縁の２８先端が操作部材１６側に突出しているとき、先端が側板１１の内面に摺接し、上記係合凹部１４に対応したとき該係合凹部１４に入り込んで係合凹部１４の縁部３１に確実に係合できる長さである。なお、このときの係合を十分にできるよう係合凹部１４の縁部３１は、スライダーの移動方向に対して、ほぼ直交する方向、図４においては水平方向、に延びている。なお、図５に示すように、ストッパー２５は、頂点を丸く形成した正面視略直角二等辺三角形形状であり、三角形の頂点内方でスライダー１５に枢着され、対辺の一辺が押圧縁２８となり、他辺が係合縁２９となっている。また、押圧縁２８と係合縁２９の先端を弧状面で結んだ正面視略直角扇形に形成してあるが、先端を直線状に結んで直線で囲まれた三角形に形成してもよい。また、上記係合縁の先端には、小さな曲面を形成することもできる。
【００１６】
上記操作部材１６は、上記つまみ孔９に突出するつまみ３２を前面に有し、上記収納部１２に摺動可能に内接する形状の操作本体部３３と、該操作本体部３３の先端から上記スライダー１５に沿って延びる先端部３４を有する。該先端部３４には、スライダー１５の移動方向に位置する先端押圧面３５と、スライダー側に位置する側方押圧面３６を有する作用部３７を形成してあり、該作用部の下面は鉤部３８となっている。先端押圧面３５の側方には突出縁３９が設けられている。該先端部３４は上記スライダー１５の中間部２４を受け入れるよう段部を介して側板側に偏って設けられている。
【００１７】
上記操作部材１６には、本体の側板１１に設けたガイド溝４０に入り込む案内ピン４１が設けられ、ガイド溝４０端に案内ピン４１が当たる位置まで操作部材を移動させることができる。また前面板１０側には、ばね４２で付勢したクリックボール４３を収納する孔４４があり、該クリックボール４３は操作部材１６を移動させたとき、移動の終端で前面板１０の裏面に形成した受孔４５に入り込んで、操作部材の移動にクリック感を与える。なお、これらのガイド溝、案内ピン及びクリックボール、受孔は、図に示す実施例を逆側の部材に設けるようにしてもよい。
【００１８】
上記の構成により解錠状態では、図６、図７に示すように、図において操作部材１６は降下位置にあり、ストッパー２５は押圧縁２８が操作部材１６の先端押圧面３５に対向する位置にある。このとき、ストッパー２５の係合縁２９は側板の内面１７に接しており、図６においてストッパー２５の回転は阻止されている。この状態から、つまみ３２を持って操作部材１６を上昇させると、図８に示すように、操作部材の先端押圧面３５に押されてストッパー２５を介してスライダー１５は上昇する。
【００１９】
上昇の途中で、ストッパー２５の係合縁２９が側板１１に設けた係合凹部１４に近接すると、図９に示すように、次第に該係合縁２９の先端が係合凹部１４に入り込み、ストッパー２５の回転阻止が徐々に解除され、ストッパーは時計方向に回転し始める。このストッパーの回転は、係合縁２９の先端が完全に係合凹部１４に入り込んで縁部３１に当接するまで続く。ストッパー２５の回転が停止してスライダー１５の上昇が停止した後も、操作部材１６の上昇が続いている。そして、ストッパー２５の押圧縁２８に沿って操作部材の側方押圧面３６が十分に接した位置まで移動したとき、ガイド溝４０端に案内ピン４１が当接して操作部材の移動は停止する(図１０〜図１２参照)。このとき、スライダー１５に連結したロッド棒５はその先端が扉枠の受孔に入り込み、扉は施錠状態になる。施錠状態でロッド棒５を押し下げようとしても、ストッパー２５は、係合縁２９が係合凹部１４に係合した状態で、時計方向にも反時計方向にも回転が阻止されているので、スライダー１５を押し下げることができず、施錠状態で確実にロックすることができる。
【００２０】
図１０に示す状態から、つまみ３２を下方に押し下げると、降下の途中で操作部材１６の側方押圧面３６は、ストッパー２５の押圧縁２８から次第に離れ、ストッパー２５は反時計方向に回転可能になり、操作部材１６の鉤部３８とスライダー１５の鉤部２７が接すると、ストッパー２５が反時計方向に回転しつつ係合縁２９は側板の係合凹部１４から脱出し、スライダー１５は操作部材１６により引き下げられ、操作部材１６は案内ピン４１がガイド溝４０端にあたる位置まで降下し、図８に示すような解錠状態に戻る。
【００２１】
上記実施例では、上昇位置でスライダーをロックするように構成しているが、下方位置でロックするように構成することもでき、また上昇位置と降下位置のいずれの状態でもスライダーをロックできるように構成することができる。図１３〜図１５は、そのような実施例を示し、上記実施例と同様の構成部分は同じ符号を付して説明すると、本体７の側板１１には上昇位置及び降下位置の二か所に係合凹部１４ａ、１４ｂを設けてある。また、スライダー１５には、上下に段部２６ａ、２６ｂを形成し、各段部に上記と同様の構成の上方ストッパー２５ａと下方ストッパー２５ｂを逆向きに枢着する。操作部材１６には上方ストッパー２５ａと下方ストッパー２５ｂに対応して先端押圧面３５と側方押圧面３６を有する作用部３７を上下にそれぞれ設けてある。これらの作用部は、上方の先端押圧面３５ａが上方ストッパー２５ａの押圧縁２８に当たる前に、下方の側方押圧面３６ｂが下方ストッパー２５ｂの押圧縁２８から離れるような関係に設けてある。スライダー１５の側面には、突起４６を形成してあり、該突起の、図１３において上下に対向するように操作部材１６に鉤部３８ａ、３８ｂを形成する。
【００２２】
上記の構成により、操作部材１６を上昇させたときは、図１４に示すように、上述の実施例とほぼ同様に上方ストッパー２５ａを介してスライダー１５が移動し、係合凹部１４ａに上方ストッパー２５ａが対応したとき、上方ストッパー２５ａが時計方向に回転して係合凹部に係合し、操作部材はさらに上昇してスライダー１５を上昇位置でロックする(図１５参照)。上記移動の際、上方ストッパー２５ａに操作部材１６の先端押圧面３５ａが当たる前に、下方の側方押圧面３６ｂが押圧縁２８から離れて、下方ストッパー２５ｂは、時計方向に回転可能になっているので、スライダー１５の上昇動が妨げられることはない。
【００２３】
一方、上昇位置から操作部材を降下させると、降下の途中で上方ストッパー２５ａの押圧縁２８から上方側方押圧面３６ａが離れ、上方ストッパー２５ａの反時計方向の回転が許容され、下方先端押圧面３５ｂが下方ストッパー２５ｂの押圧縁２８に当たって、スライダー１５は降下し始める。下方ストッパー２５ｂの係合縁２９が下方係合凹部１４ｂに対応すると、下方ストッパー２５ｂは反時計方向に回転して係合縁２９が下方係合凹部１４ｂに入り込み、さらに操作部材は降下して下方位置でスライダー１５をロックすることができる。
【００２４】
上述したように、本発明のスライド式施錠装置は、各種の錠装置に適用することができる。例えば、特許文献３に示すような締り金具の場合には、ロックピン４７を有する部材を、施錠部材として上記スライダー１５に連結し(図１６参照)、スライダー１５を移動させた際、受け具４８にロックピンが係合して施錠状態でロックできるようにすればよい。
【００２５】
また、特許文献４に示すように連動板を上下動させる機構の場合には、連動板４９を操作する伝動板５０をスライダー１５に連結し(図１７参照)、伝動板５０に設けた受溝５１を、連動板４９の連動ピン５２に挿入し、スライダー１５が移動した際、連動板４９を移動させて係合ピン５３が受け具(図示略)に係合して施錠でロックできるようにすればよい。
【００２６】
特許文献５に示すような上げ下げ窓や障子の錠装置の場合は、図１８に示すように、スライダー１５が水平方向に移動するように本体７を横向きに窓框や障子框５４に取り付け、スライダー自体をラッチ部材として兼用し、スライダー１５を水平方向に移動させたとき、先端部が窓枠や障子枠５５に係合して施錠でロックできるようにすればよい。
【符号の説明】
【００２７】
７    本体
１１  側板
１２  収納部
１４  係合凹部
１５  スライダー
１６  操作部材
２５  ストッパー
２８  押圧縁
２９  係合縁
３２  つまみ
３５  先端押圧面
３６  側方押圧面
３７  作用部
【図１】
0006557578.tif 000002
【図２】
0006557578.tif 000003
【図３】
0006557578.tif 000004
【図４】
0006557578.tif 000005
【図５】
0006557578.tif 000006
【図６】
0006557578.tif 000007
【図７】
0006557578.tif 000008
【図８】
0006557578.tif 000009
【図９】
0006557578.tif 000010
【図１０】
0006557578.tif 000011
【図１１】
0006557578.tif 000012
【図１２】
0006557578.tif 000013
【図１３】
0006557578.tif 000014
【図１４】
0006557578.tif 000015
【図１５】
0006557578.tif 000016
【図１６】
0006557578.tif 000017
【図１７】
0006557578.tif 000018
【図１８】
0006557578.tif 000019